(57)【要約】【課題】本体が邪魔にならず快適に使用できる酸素富化装置を提供する。【解決手段】酸素富化膜ユニット２を内蔵した本体１と、前記酸素富化膜ユニット２で生成された酸素富化空気を吐出する吐出部６と、前記吐出部６に連通すると共に使用者に酸素富化空気を供給する第１の連結管１３と、前記本体１と分離され前記酸素富化膜ユニット２の動作を制御する操作部１５とを備え、前記本体１を天井３６に設置したもので、運転時に本体１が邪魔にならず、使用勝手の良い酸素富化装置を提供することができる。【選択図】図１
2007143817.tif 000002
【特許請求の範囲】
【請求項１】
酸素富化手段を内蔵した本体と、前記酸素富化手段で生成された酸素富化空気を吐出する吐出部と、前記吐出部に連通すると共に使用者に酸素富化空気を供給する連結管と、前記本体と分離され前記酸素富化手段の動作を制御する操作手段とを備え、前記本体を天井に設置したことを特徴とする酸素富化装置。
【請求項２】
酸素富化手段を内蔵した本体と、前記酸素富化手段で生成された酸素富化空気を吐出する吐出部と、前記吐出部に連通すると共に使用者に酸素富化空気を供給する連結管と、前記本体と分離され前記酸素富化手段の動作を制御する操作手段とを備え、前記本体を壁面に設置したことを特徴とする酸素富化装置。
【請求項３】
連結管を本体内に巻込み収納する連結管巻取り機構を設けた請求項１又は２に記載の酸素富化装置。
【請求項４】
連結管巻取り機構を駆動して、連結管の巻込み収納を行う駆動手段を設けた請求項３に記載の酸素富化装置。
【請求項５】
操作手段からの制御信号を伝達または送受信する制御手段を、本体及び／または操作手段に配設した請求項１〜４のいずれか１項に記載の酸素富化装置。
【請求項６】
連結管を介して本体と連結され使用者に酸素富化空気を吐出する吐出手段を備え、前記連結管と前記吐出手段とを着脱自在とした請求項１〜５のいずれか１項に記載の酸素富化装置。
【請求項７】
操作手段と本体とを電気的に接続する配線コードを設け、前記配線コードと、前記本体及び／または前記操作手段とを着脱自在とした請求項１〜６のいずれか１項に記載の酸素富化装置。
【発明の詳細な説明】
【技術分野】
【０００１】
本発明は、酸素富化空気を使用者に提供する酸素富化装置に関するものである。
【背景技術】
【０００２】
従来のこの種の酸素富化装置について、図１３を用いて説明する。図１３は、従来の酸素富化装置の断面図を示すものである。酸素富化装置の本体５０は、空気中の酸素濃度を高める酸素富化手段５１と、酸素富化手段５１で得られた酸素富化空気を吐出手段５２に供給するポンプ手段５３を内蔵すると共に、持ち運び用のハンドル５４と、ポンプ手段５３に電源を供給するための電源コード５５が設けられている。吐出手段５２は、使用者の頭にセットするヘッドセット（図示せず）に設けられた吐出口（図示せず）に連通されている。
【０００３】
そして使用者が、ヘッドセットを頭にセットし、電源コード５５を屋内のコンセントに差し込んで、本体５０の電源スイッチ（図示せず）をオンすると、ポンプ手段５３の運転が開始し、外気が酸素富化手段５１内に吸引されると共に酸素富化された空気が吐出手段５２に送られ、使用者は、自分の口元にセットした吐出口から酸素富化された空気を吸引することができるようになっている（例えば、特許文献１参照）。
【特許文献１】登録実用新案第３０９６１１３号公報
【発明の開示】
【発明が解決しようとする課題】
【０００４】
しかしながら、前記従来の酸素富化装置においては、本体５０は、交流電源で運転されるようになっているので、机の上に本体５０を置くか、机の近くの床面に本体５０を置いて椅子に座ってくつろぎながら或いは、勉強などの学習や読書をしながら吐出手段５２を付けて使用するか、近くに本体５０を置いたソファーに座って同様に使用するわけであるが、本体５０が邪魔でありまた、使用者に酸素富化空気を供給するチューブや吐出手段５２の収納が面倒であるという課題があった。
【０００５】
本発明は、前記従来の課題を解決するもので、本体が邪魔にならずに使用できる酸素富化装置を提供することを目的とする。
【課題を解決するための手段】
【０００６】
前記従来の課題を解決するために、本発明の酸素富化装置は、酸素富化手段を内蔵した本体と、前記酸素富化手段で生成された酸素富化空気を吐出する吐出部と、前記吐出部に連通すると共に使用者に酸素富化空気を供給する連結管と、前記本体と分離され前記酸素富化手段の動作を制御する操作手段とを備え、前記本体を天井に設置したもので、運転時に本体が邪魔にならず、また、本体と分離された操作手段を手元に置くことで、本体の操作が容易で、使用勝手の良い酸素富化装置を提供することができる。
【発明の効果】
【０００７】
本発明の酸素富化装置は、本体を天井に設置したことにより、本体が邪魔にならずに使用できる酸素富化装置を提供することができる。
【発明を実施するための最良の形態】
【０００８】
第１の発明は、酸素富化手段を内蔵した本体と、前記酸素富化手段で生成された酸素富化空気を吐出する吐出部と、前記吐出部に連通すると共に使用者に酸素富化空気を供給する連結管と、前記本体と分離され前記酸素富化手段の動作を制御する操作手段とを備え、前記本体を天井に設置したもので、運転時に本体が邪魔にならず、また、本体と分離された操作手段を手元に置くことで、本体の操作が容易で、使用勝手の良い酸素富化装置を提供することができる。
【０００９】
第２の発明は、酸素富化手段を内蔵した本体と、前記酸素富化手段で生成された酸素富化空気を吐出する吐出部と、前記吐出部に連通すると共に使用者に酸素富化空気を供給する連結管と、前記本体と分離され前記酸素富化手段の動作を制御する操作手段とを備え、前記本体を壁面に設置したもので、運転時に本体が邪魔にならず、また、本体と分離された操作手段を手元に置くことで、本体の操作が容易で、使用勝手の良い酸素富化装置を提供することができる。
【００１０】
第３の発明は、特に、第１又は第２の発明の連結管を本体内に巻込み収納する連結管巻取り機構を設けたもので、連結管が邪魔にならず、本体にスッキリと収納できる酸素富化装置を提供することができる。
【００１１】
第４の発明は、特に、第３の発明の連結管巻取り機構を駆動して、連結管の巻込み収納を行う駆動手段を設けたもので、駆動手段を動作させるだけで、連結管の収納が簡単にできるので、使用勝手の良い酸素富化装置を提供することができる。
【００１２】
第５の発明は、特に、第１〜４のいずれか一つの発明の操作手段からの制御信号を伝達または送受信する制御手段を、本体及び／または操作手段に配設したもので、使用者のすぐ手元で操作手段を操作することができ非常に使い易い。又本体から分離された操作手段をワイヤレスとすることも出来る酸素富化装置を提供することができる。
【００１３】
第６の発明は、特に、第１〜５のいずれか一つの発明の連結管を介して本体と連結され使用者に酸素富化空気を吐出する吐出手段を備え、前記連結管と前記吐出手段とを着脱自在としたもので、吐出手段と連結管の連結作業を容易に行うことが出来る酸素富化装置を提供することができる。
【００１４】
第７の発明は、特に、第１〜６のいずれか一つの発明の操作手段と本体とを電気的に接続する配線コードを設け、前記配線コードと、前記本体及び／または前記操作手段とを着脱自在としたもので、操作手段と本体間の配線コードの配線処理作業を容易に行うことが出来る酸素富化装置を提供することができる。
【００１５】
以下、本発明の実施の形態について、図面を参照しながら説明する。なお、この実施の形態によって本発明が限定されるものではない。
【００１６】
（実施の形態１）
以下、本発明の第１の実施の形態における酸素富化装置について、図１から図１２を用いて説明する。図１は、本実施の形態における酸素富化装置の本体を天井に取付けた状態を示した図、図２は、同酸素富化装置の本体の正面図、図３は、同本体の側面図、図４（ａ）は、同本体の裏面図、（ｂ）は、同本体の外郭部品を取除いた状態の裏面図、図５は、同本体の断面図、図６は、同酸素富化装置の操作部の断面図、図７は同酸素富化装置の操作部の斜視図、図７は、同酸素富化装置の操作部の斜視図、図８〜図１１は、酸素富化装置の他の構成例を示す図、図１２は、同酸素富化装置のヘッドセットを使用者の耳に掛けた状態を示す概略図である。
【００１７】
図１から図１２において、酸素富化装置本体１（以下、「本体」と称す）の内部には、前記本体１内に吸引された空気の酸素の濃度を高める、いわゆる酸素富化空気を生成する酸素富化膜（図示せず）からなり酸素富化手段である酸素富化膜ユニット２を内設している。吸引された空気が酸素富化膜ユニット２を通過することで、空気の酸素濃度は、通過前の通常の２１％（窒素約７９％）から、約３０％（窒素約７０％）に高められる。
【００１８】
また、本体１の内部には、本体１の背面に設けた吸気口３から前記本体１内に外気を吸引する吸気手段となるファン１２が設けられ、そのファン１２により吸引された空気が、酸素富化膜ユニット２に送られ、酸素富化膜ユニット２の酸素富化膜を通過しない空気は、本体１の前面に設けた排気口４から外部へ排出される。
【００１９】
５は、前記本体１内に吸引された空気の一部を、酸素富化膜ユニット２の酸素富化膜を通して吸引する吸引手段となるポンプで、ポンプ５の吐出側は本体１の側面に設けられた吐出部６と連通され、さらにその吐出部６には、酸素富化空気を使用者に吐出する酸素富化空気吐出手段７が連結されている。
【００２０】
前記ポンプ５及びファン１２の運転は、本体１内に配された制御手段である基板１０によって制御されている。１５は、本体１の外部に分離して設けられ本体１の運転、停止等の制御操作を行うための操作手段となる操作部で、前記基板１０と、操作部１５の内部に備えた操作基板１６とは、導体である配線コード１４で接続されている。１７は、電源コードで、前記ポンプ５、ファン１２、基板１０等に電源を供給するものである。
【００２１】
以上のように、操作部１５が、本体１から分離して配設されているので、本体１から離れたところから本体１の運転、停止等の制御操作を行うことができるものであり、操作部１５及び本体１を、各々ユニット化して本体１を天井や壁面に取り付け、操作部１５を手の届く低い位置の壁面等に着脱自在に取り付けすれば、ユニット化された操作部１５及び本体１を使用することができる。
【００２２】
２１は、本体１を天井等に取り付ける天井取付具、２２は、本体１を壁面に取り付ける壁面取付具である。
【００２３】
本実施の形態では、吐出部６から操作部１５までの経路は、酸素富化空気を送出する空気通路手段となる第２の連結管１１と、本体１と操作部１５とを電気的に接続する通信手段である配線コード１４の双方を、管状の配管部材２３で同時に包み込むように構成されている。
【００２４】
本体１の吐出部６の近傍には、本体１の配線コード１４の出口Ａ２４が設けられ、操作部１５側では、第２の連結管１１が接続される接続口２６の近傍に操作部１５の配線コード１４の出口Ｂ２５がそれぞれ設けられている。また図６に示すように、配管部材２３は、蛇腹状の管で構成されており、本体１及び操作部１５に形成した凹凸部２７に係合して連結固定されている。
【００２５】
また配管部材２３の長手方向の全域にはスリット２８が設けられ、操作手段１５と本体１間の配管部材２３への第２の連結管１１と配線コード１４の収納作業は、上記スリット２８を広げてその隙間から順次第２の連結管１１と配線コード１４を配管部材２３内部に押し込むようにして行われる。
【００２６】
２９は、操作部１５を手の届く低い位置の壁面等に着脱自在に取り付ける為の取付け具であり操作部１５の取付部３０に回動自在に取り付けられている。また３１は、酸素富化空気吐出手段７を使用しない時に、それを引っ掛けて保持しておくための保持部であり、操作部１５の取付部３０に一体に設けられている。
【００２７】
また、３２は操作部１５に設けられた運転スイッチであり、３３は、同じく操作部１５に設けられ、選択されたタイマーによる運転時間あるいは送風運転の通電状態を表示するランプである。そして３４は操作部１５に設けられ、高酸素濃度のいわゆる酸素富化空気を供給している時のみ点灯表示する報知手段である表示ランプで、ＬＥＤなどで構成してあり、この実施の形態では緑色に光るようにしてある。
【００２８】
一方酸素富化空気吐出手段７は、使用者の耳、首元に掛けるヘッドセット８と、ヘッドセット８の一部に回動又は傾動自在に設けられ使用者の口元に位置調整可能なマウス９と、変形自在なように軟体からなり一端が操作部１５に接続された第１の連結管１３から構成されている。
【００２９】
本体１の吐出部６と操作部１５の間には、上述のように第２の連結管１１が接続され、その第２の連結管１１とマウス９が、操作部１５内と第１の連結管１３を介して連通しており、吐出部６から吐出された酸素富化空気がマウス９より使用者の口元に吐出されるようになっている。
【００３０】
また、操作部１５と本体１とを連結する第２の連結管１１は、本体１及び／または操作部１５との間で着脱自在に連結されている。さらに、第２の連結管１１の中間に接続部を設けて着脱自在に連結するようにしてもよい。
【００３１】
また、酸素富化空気吐出手段７のヘッドセット８と操作部１５の間を着脱自在に連結する第１の連結管１３は、酸素富化空気吐出手段７及び／または操作部１５との間で着脱自在に連結されている。さらに、第１の連結管１３の中間に接続部を設けて着脱自在に連結してもよい。
【００３２】
配線コード１４は、本体１及び／または操作部１５との間で着脱自在に連結されている。また、配線コード１４の中間に接続部を設けて着脱自在に連結してもよい。
【００３３】
図８は、本実施の形態における酸素富化装置の他の構成例を示すもので、本体１から分離して配設した操作手段である操作部１５からの制御信号を伝達または送受信する制御手段２０を、前記本体１内に別途設けたものである。
【００３４】
また、図９は、本実施の形態における酸素富化装置の他の構成例を示すもので、操作手段である操作部１５を本体１から分離すると共に、酸素富化空気を、本体１に第１の連結管１３を介して連結した酸素空気吐出手段７を介して使用者が吸引できる形態とし、酸素空気吐出手段７であるヘッドセット８と操作部１５を分離して設けると共に、本体１に第１の連結管１３を引出し及び巻込み収納する連結管巻取り機構１８を設け、さらに連結管巻取り機構１８を駆動する駆動手段１９を設けて、自動で第１の連結管１３の引出し及び巻込み収納を行うよう構成したものである。
【００３５】
また、図１０は、本実施の形態における酸素富化装置の他の構成例を示すもので、本体１から分離して配設した操作手段である操作部１５からの制御信号を伝達または送受信する制御手段２０を前記本体１内に別途設けると共に、本体１に第１の連結管１３を引出し及び巻込み収納する連結管巻取り機構１８を設け、また連結管巻取り機構１８を駆動手段１９にて駆動し、自動で第１の連結管１３の引出し及び巻込み収納を行うようにしたものである。
【００３６】
次に上記構成に基づく酸素富化装置の動作について説明する。
【００３７】
操作部１５の運転スイッチ３２をＯＮ操作すると、ポンプ５に動作電源を供給する制御手段（基板１０、操作基板１６または制御手段２０）が動作し、通電状態を示すランプ３３が点灯すると共に、タイマーで設定した時間に応じてポンプ５が運転し、かつファン１２が作動する。そしてファン１２の運転により本体１に設けた吸気口３より外気が吸引され、この外気は酸素富化膜ユニット２を通り、排気口４から本体外に排出される。一方、前記酸素富化膜ユニット２を通る外気はこれを通過する際、ポンプ５の運転により空気が酸素富化膜ユニット２内に吸引され、その際酸素が通過しやすいところから酸素富化された空気となる。そしてこの酸素富化空気は吐出部６に送出され、当該吐出部６より吐出される。
【００３８】
上記吐出部６より吐出された酸素富化空気は、第１の連結管１３を介してヘッドセット８のマウス９より吐出される。したがって、使用者はヘッドセット８を頭部にセットし、回動又は傾動自在に設けられ使用者の口元に位置調整可能なマウス９を動かして使用者の口や鼻に近づけることにより、マウス９から吐出される酸素富化空気を、口や鼻から吸引できるようになる。
【００３９】
本実施の形態によれば、図１に示すごとく前記本体１を天井に設置したことにより、本体１が邪魔にならずに使用できる酸素富化装置を提供することができる。また、図１１に示すごとく前記本体１を壁面に設置することにより、同様に本体１が邪魔にならずに使用できる酸素富化装置を提供することができる。
【００４０】
また、操作部１５を本体１から分離し、本体１内の制御手段である基板１０と操作部１５内の操作基板１６を配線コード１４で接続し、手の届く低い位置の壁面等に着脱自在に取付けて遠隔操作できるようにしたことにより、本体１から離れたところから本体１の運転、停止等の制御操作を、使用者のすぐ手元ですることができて非常に使い易い。
【００４１】
また、操作部１５に、本体１の運転状態を表示するランプ３３及び表示ランプ３４を設けているので、操作部１５を確認することで本体１の運転状態を容易に確認することができる。この時、操作部１５に設けた表示ランプ３４は、タイマーが設定され酸素富化空気が吐出していることにより緑色に点灯している。この緑色は人間工学的に見て安心感や安らぎを与えることから、使用者はこれをみてリラックス感を得ることができる。またここで使用者がタイマー設定せず運転スイッチ３２をＯＮ操作しただけではファン１２のみが動作開始し、酸素富化空気は供給されないが、使用者は前記表示ランプ３４が点灯していないことにより、ファン１２のみが動作していることを知ることができる。
【００４２】
換言すれば上記表示ランプ３４は、酸素富化空気が吐出しているときにだけ点灯するので、使用者や近くにいる人は、酸素富化空気が吐出していることを確実に知ることができる。特に、この実施の形態では、表示ランプ３４で、ポンプ５の作動状態を表示するようにしたのでポンプ５やポンプ５の運転回路系の故障や異常を的確に知ることができる。
【００４３】
なお、上記実施の形態では、酸素富化空気吐出手段７として、使用者が頭部に装着するヘッドセット８を例示したが、これに限定されるものではなく、首部あるいは肩部にかけるタイプでも支障がなく、また腕の一部や胴体の一部にマジックテープ（登録商標）等で巻きつけるタイプでも支障がなく、さらにネクタイ等の衣服の一部にピン等で止めるタイプでも支障がなく、もちろん防塵マスクのように耳等を使って顔の一部を覆うタイプでも支障がないものである。
【００４４】
また上記実施の形態では、報知手段としてＬＥＤで構成した表示ランプ３４を用いたが、ランプ等で構成した表示ランプ３４でも良く、また、点灯ではなく、輝度を変えたり点滅させるなどしてもよく、所期の目的を達成するものであればどのように構成してもよいものである。
【００４５】
操作部１５と本体１の間を連結する第２の連結管１１は、本体１及び／または操作部１５との間で着脱自在に連結されている。また更には、第２の連結管１１の中間に接続部を設けて着脱自在に連結してもよい。上記により、操作手段である操作部１５と本体１間の連結処理の作業を容易に行うことができる。
【００４６】
また、酸素富化空気吐出手段７のヘッドセット８と操作部１５の間を連結する第１の連結管１３は、酸素富化空気吐出手段７及び／または操作部１５との間で着脱自在に連結されている。また更には、第１の連結管１３の中間に接続部を設けて着脱自在に連結してもよい。上記により、酸素富化空気吐出手段７であるヘッドセット８と操作部１５の間の連結処理の作業を容易に行うことができる。
【００４７】
操作部１５と本体１の間を結線する通信手段である配線コード１４は、本体１及び／または操作部１５との間で着脱自在に連結されている。また更には、配線コード１４の中間に接続部を設けて着脱自在に連結してもよい。上記により、操作手段である操作部１５と本体１間の配線処理の作業を容易に行うことができる。
【００４８】
また、図８に示したように、本体１から分離して配設した操作手段である操作部１５からの制御信号を伝達または送受信する制御手段２０を前記本体１内に別途設けることにより、本体１内の制御手段２０と、本体１から分離した操作部１５をワイヤレスとし、本体１の運転、停止等の制御操作を本体１から離れた遠隔操作とすることができる。
【００４９】
また、図９に示したように、操作手段である操作部１５を、本体１から分離すると共に酸素富化空気を本体１から第１の連結管１３で連結した酸素空気吐出手段７を介して使用者が吸引できる形態とした酸素空気吐出手段７であるヘッドセット８と操作部１５を分離して設けると共に、本体１に第１の連結管１３を引出し及び巻込み収納する連結管巻取り機構１８を設けまた、連結管巻取り機構１８を駆動手段１９にて駆動し、自動で第１の連結管１３の引出し及び巻込み収納を行うようにすることで、第１の連結管１３が邪魔にならず、本体１にスッキリと収納でき、また連結管巻取り機構１８を駆動手段１９を用いて楽に操作することができるものである。
【００５０】
また、図１０に示したように、本体１から分離して配設した操作手段である操作部１５からの制御信号を伝達または送受信する制御手段２０を前記本体１内に別途設けると共に本体１に第１の連結管１３を引出し及び巻込み収納する連結管巻取り機構１８を設け、また連結管巻取り機構１８を駆動手段１９にて駆動し、自動で第１の連結管１３の引出し及び巻込み収納を行うよう構成することにより、第１の連結管１３が邪魔にならず、本体１にスッキリと収納でき、また連結管巻取り機構１８を駆動手段１９を用いて楽に操作することができる。更には、本体１内の制御手段２０と、本体１から分離した操作部１５をワイヤレスとし、本体１の運転、停止等の制御操作を本体１から離れた遠隔操作とすることができる。
【産業上の利用可能性】
【００５１】
以上のように、本発明に係る酸素富化装置は、本体が邪魔にならずに使用できる酸素富化装置を提供することができるもので、家庭用、業務用の酸素富化装置に広く適用できるものである。
【図面の簡単な説明】
【００５２】
【図１】本発明の第１の実施の形態における酸素富化装置を天井に取付けた状態を示す図
【図２】同酸素富化装置の本体の正面図
【図３】同本体の側面図
【図４】（ａ）同本体の裏面図、（ｂ）同本体の外郭部品を取除いた裏面図
【図５】同本体の側面断面図
【図６】同酸素富化装置の操作部の断面図
【図７】同酸素富化装置の操作部の斜視図
【図８】同酸素富化装置の他の構成例を示す図
【図９】同酸素富化装置の他の構成例を示す図
【図１０】同酸素富化装置の他の構成例を示す図
【図１１】同酸素富化装置の他の構成例を示す図
【図１２】同酸素富化装置のヘッドセットを使用者の耳に掛けた状態を示す概略図
【図１３】従来の酸素富化装置の断面図
【符号の説明】
【００５３】
１    本体
２    酸素富化膜ユニット（酸素富化手段）
６    吐出部
７    酸素富化空気吐出手段（吐出手段）
１１  第２の連結管（連結管）
１３  第１の連結管（連結管）
１４  配線コード
１５  操作部（操作手段）
１８  連結管巻取り機構
１９  駆動手段
２０  制御手段
３６  天井
【図１】
2007143817.tif 000003
【図２】
2007143817.tif 000004
【図３】
2007143817.tif 000005
【図４】
2007143817.tif 000006
【図５】
2007143817.tif 000007
【図６】
2007143817.tif 000008
【図７】
2007143817.tif 000009
【図８】
2007143817.tif 000010
【図９】
2007143817.tif 000011
【図１０】
2007143817.tif 000012
【図１１】
2007143817.tif 000013
【図１２】
2007143817.tif 000014
【図１３】
2007143817.tif 000015